(57)【要約】【課題】  装置本体部に対する開閉部に備わる操作入力部の電源をケーブルや蓄電池を用いずに確保し、不要な電磁波輻射を低減し、蓄電池交換の必要もなくする。【解決手段】  装置本体部１０に対して開閉部２０が閉じられると、装置本体部１０の交流磁界発生部１１１から発生する交流磁界によって、表示／操作部２１の誘導結合部２１８で誘導電流が生じ、電源部２１９が該誘導電流を整流、平滑化して表示／操作部２１の各部に動作電源を供給する。装置本体部１０の制御部１２からの表示制御情報は、変調部１１２、発光部１１３、受光部２１６、復調部２１７を介して光通信により表示／操作部２１の制御部２１３に送信し、入力部２１２でのキー操作信号は、制御部２１３から変調部２１４、発光部２１５、受光部１１４、復調部１１５を介して光通信により制御部１２に送信する。【選択図】  図３
2009069189.tif 000002
【特許請求の範囲】
【請求項１】
装置を制御する制御部を有する装置本体部と、
前記装置本体部に対して開閉可能に装着される開閉部と、
前記開閉部に設けられ、情報を表示する表示部を有する操作入力部と
を具備し、
前記装置本体部は、
前記開閉部を閉じた状態で、前記操作入力部に対して無線で電力を供給するとともに、前記操作入力部と前記制御部との間で信号の送受を行うインタフェース部
を具備し、
前記操作入力部は、
前記開閉部を閉じた状態で、前記インタフェース部から供給された電力を受信して該操作入力部を駆動する電源を出力する電源部と、
前記開閉部を閉じた状態で、前記インタフェース部を介して前記制御部との間で信号の送受を行う信号送受信部と
を具備する画像形成装置。
【請求項２】
前記インタフェース部は、
前記制御部の制御により交流磁界を発生する交流磁界発生部と、
前記制御部の制御により該制御部と前記操作入力部の信号送受信部との間で送受される信号を光信号を用いて通信する第１の光信号通信手段と
を具備し、
前記操作入力部の電源部は、
前記交流磁界発生部から発生された交流磁界に電磁結合されて、起電力を発生する誘導結合部
を具備し、
前記操作入力部の信号送受信部は、
前記第１の光信号通信手段により送受される光信号を送受して前記制御部と通信する第２の光信号通信手段
を具備する請求項１記載の画像形成装置。
【請求項３】
前記インタフェース部は、
前記制御部の制御により交流磁界を発生する交流磁界発生部と、
前記制御部の制御により該制御部と前記操作入力部の信号送受信部との間で送受される信号を高周波信号として前記交流磁界発生部から発生される交流磁界に重畳して通信する第１の高周波通信手段と
を具備し、
前記操作入力部の電源部は、
前記交流磁界発生部から発生された交流磁界に電磁結合されて、起電力を発生する誘導結合部
を具備し、
前記操作入力部の信号送受信部は、
前記第１の高周波通信手段により送受される高周波信号を前記誘導結合部を介して送受する第２の高周波通信手段
を具備する請求項１記載の画像形成装置。
【発明の詳細な説明】
【技術分野】
【０００１】
本発明は、画像形成装置に関する。
【背景技術】
【０００２】
プリンタ等の画像形成装置においては、装置本体部に対して開閉可能なカバーを有し、該カバーを開けることで用紙トレイに対する給紙等を行なうものがある。
【０００３】
この種の画像形成装置では、カバー側に、キー入力機能と情報表示機能を有する操作パネル部を設け、該操作パネル部と装置本体部の制御部等の間を接続ケーブルを用いて接続し、キー操作信号等の信号とキー操作部に対する表示制御情報等の情報を送受信する構成のものも少なくない。
【０００４】
このタイプの構成の画像形成装置では、カバーの開閉によって接続ケーブルの切断の危険があったり、ノイズを発生し制御上誤動作を生じるという懸念を払拭する工夫が必要となる。
【０００５】
この種の従来装置の一例として、下記特許文献１には、プリンタ本体１１とオペレーションパネル１２に、ＡＳＫ変調方式の無線送受信回路を設け、オペレーションパネル１２ではバッテリ６４を動作電源として各部を駆動し、キースイッチ信号をプリンタ本体に無線送信して印刷内容を設定し、プリンタ本体１１からの表示情報をオペレーションパネル１２に無線送信して表示情報を表示させるプリンタが開示されている。
【特許文献１】特開平０５−２７０１０１号公報
【発明の開示】
【発明が解決しようとする課題】
【０００６】
本発明は、装置本体部に対する開閉部に備わる操作入力部の電源をケーブルや蓄電池を用いずに確保し、不要な電磁波輻射を低減でき、蓄電池交換の必要もない画像形成装置を提供することを目的とする。
【課題を解決するための手段】
【０００７】
上記目的を達成するために、請求項１記載の画像形成装置の発明は、装置を制御する制御部を有する装置本体部と、前記装置本体部に対して開閉可能に装着される開閉部と、前記開閉部に設けられ、情報を表示する表示部を有する操作入力部とを具備し、前記装置本体部は、前記開閉部を閉じた状態で、前記操作入力部に対して無線で電力を供給するとともに、前記操作入力部と前記制御部との間で信号の送受を行うインタフェース部を具備し、前記操作入力部は、前記開閉部を閉じた状態で、前記インタフェース部から供給された電力を受信して該操作入力部を駆動する電源を出力する電源部と、前記開閉部を閉じた状態で、前記インタフェース部を介して前記制御部との間で信号の送受を行う信号送受信部とを具備する。
【０００８】
請求項２記載の発明は、上記請求項１記載の発明において、前記インタフェース部は、前記制御部の制御により交流磁界を発生する交流磁界発生部と、前記制御部の制御により該制御部と前記操作入力部の信号送受信部との間で送受される信号を光信号を用いて通信する第１の光信号通信手段とを具備し、前記操作入力部の電源部は、前記交流磁界発生部から発生された交流磁界に電磁結合されて、起電力を発生する誘導結合部を具備し、前記操作入力部の信号送受信部は、前記第１の光信号通信手段により送受される光信号を送受して前記制御部と通信する第２の光信号通信手段を具備する。
【０００９】
請求項３記載の発明は、上記請求項１記載の発明において、前記インタフェース部は、前記制御部の制御により交流磁界を発生する交流磁界発生部と、前記制御部の制御により該制御部と前記操作入力部の信号送受信部との間で送受される信号を高周波信号として前記交流磁界発生部から発生される交流磁界に重畳して通信する第１の高周波通信手段とを具備し、前記操作入力部の電源部は、前記交流磁界発生部から発生された交流磁界に電磁結合されて、起電力を発生する誘導結合部を具備し、前記操作入力部の信号送受信部は、前記第１の高周波通信手段により送受される高周波信号を前記誘導結合部を介して送受する第２の高周波通信手段を具備する。
【発明の効果】
【００１０】
請求項１記載の発明によれば、プリンタ本体部に対する開閉カバーに設けた操作パネル部の電源を確保するために接続ケーブルもバッテリも必要なく、不要な電磁波輻射を低減でき、バッテリ交換も不要になる。
【００１１】
請求項２記載の発明によれば、請求項１記載の発明において、プリンタ本体部と操作パネル部間で光信号により制御信号を送受でき、両者の間のケーブル接続をなくし、操作パネル部の配置の自由度を高めることができる。
【００１２】
請求項３記載の発明によれば、請求項１記載の発明において、プリンタ本体部と操作パネル部間で高周波通信により制御信号を送受するにあたって、無線により電力を供給する電磁結合を活用でき、構成を簡略化できると共に、ケーブル接続を不要にして外来ノイズによる誤動作を防止できる。
【発明を実施するための最良の形態】
【００１３】
以下、本発明の実施形態について添付図面を参照して詳細に説明する。
【００１４】
図１は、本発明に係わるプリンタ１００の概観構造を示す概念図である。
【００１５】
このプリンタ１００は、装置本体部１０と、該装置本体部１０に図示しないヒンジ部を介して取り付けられ、該装置本体部１０に対して開放された状態と閉じた状態とに開閉自在なカバー部材としての開閉部２０とを備えて構成される。
【００１６】
開閉部２０には、各種情報を表示する表示機能と、動作指令等の操作を受付けて該操作入力を取り込む入力操作機能を併せ持つ表示／操作部２１が設けられている。
【００１７】
図１において、同図（ａ）は、開閉部２０を矢印ａ１方向に動かすことにより、該開閉部２０を装置本体部１０から開放した時の斜視構造を示し、同図（ｂ）は、該開閉部２０を装置本体部１０に対して閉じた時の斜視構造を示している。
【００１８】
同図（ａ）に示す状態で該プリンタ１００のメンテナンス（装置本体部１０内の給紙トレイを引き出して記録用紙を装填する作業、トナー交換作業等）を実施でき、その後、同図（ｂ）に示すように、装置本体部１０に対して開閉部２０を閉じた状態にすることで表示／操作部２１からのキー操作によってプリンタ動作の制御を実施できる。
【００１９】
図２は、本発明に係わるプリンタ１００の機能構成を示すブロック図である。
【００２０】
図２に示すように、このプリンタ１００は、例えば、原稿読取（スキャン）、複写（コピー）、印刷（プリント）等の複数の機能を有し、装置本体部１０には、開閉部２０が装置本体部１０に対して閉じた状態にある時、開閉部２０に設けた表示／操作部２１に対して無線により電力を供給するためのインタフェースを果たすインタフェース（Ｉ／Ｆ）部１１、表示／操作部２１との間で上記インタフェース部１１を通じて表示／操作部２１からの指令信号、あるいは装置本体部１０からの動作状態表示用の制御信号等の送受信を行なって、スキャン、コピー、プリント等の各機能に係わる該当各部の動作制御等、装置全体の制御を行なう制御部１２、動作プログラムや後述するスキャンデータ等の各種情報を記憶する記憶部１３、プラテン上にセットされる原稿（紙文書）の画像をスキャンし、電気的な画像信号（画像データ）に変換する読取部（スキャナ部）１４、読取部１４により紙文書をスキャンして得られたスキャンデータや、クライアント端末（不図示）から送られてくる印刷ジョブから印刷データを生成するための画像処理を行う画像処理部１５、画像処理部１５により生成された印刷データに基づき電子写真プロセスを実行して記録媒体（記録用紙）に該印刷データに対応する画像を形成する画像形成部１６、ＬＡＮ（Ｌｏｃａｌ  Ａｒｅａ  Ｎｅｔｗｏｒｋ）やＷＡＮ（Ｗｉｄｅ  Ａｒｅａ  Ｎｅｔｗｏｒｋ）等の通信ネットワークと通信（クライアント端末から送られる上記印刷ジョブを受信する等）に係わる通信インタフェース機能を有する通信インタフェース（Ｉ／Ｆ）部１７を備えて構成される。
【００２１】
また、開閉部２０において、表示／操作部２１は、タッチパネル機能を有する大型ビットマップディスプレイ等により構成され、該パネルディスプレイに表示される各種操作ツールをタッチすることで該操作ツールに対応した操作指定等を入力する操作入力機能と、操作ガイダンスや動作状態等の各種情報を該ディスプレイに表示する表示機能とが設けられている。
【実施例１】
【００２２】
図３は、本発明の実施例１に係わるプリンタ１００Ａにおける表示／操作部２１と、装置本体部１０のインタフェース部１１の詳細機能構成を示すブロック図であり、特に、開閉部２０を、図１（ｂ）に示す如く、プリンタ１００Ａの装置本体部１０に閉じた状態での各構成要素の対応関係を例示している。
【００２３】
図３に示すように、プリンタ１００Ａにおいて、開閉部２０に設けられる表示／操作部２１は、表示部２１１、入力部２１２、制御部２１３、変調部２１４、発光部２１５、受光部２１６、復調部２１７、誘導結合部２１８、電源部２１９を備えて構成される。
【００２４】
表示部２１１、入力部２１２は、それぞれ、上述した表示機能、操作入力機能に相当するものである。
【００２５】
制御部２１３は、ＣＰＵ（Ｃｅｎｔｒａｌ  Ｐｒｏｃｅｓｓｉｎｇ  Ｕｎｉｔ：中央処理装置）で構成され、上記表示及び操作入力機能を含む当該表示／操作部２１全体の制御を行う。
【００２６】
変調部２１４は、入力部２１２からの操作信号等、装置本体部１０の制御部１２に送る信号を発光部２１５を駆動するための信号に変調する変調処理を行う。
【００２７】
発光部２１５は、例えば、発光ダイオードで構成され、変調部２１４により変調された信号に基づき駆動され、該変調信号に応じた明滅パターンで光信号を出力する。
【００２８】
受光部２１６は、例えば、受光ダイオードで構成され、装置本体部１０の発光部１１３から送出される光信号を受光し、該光信号の受信に応じた受光出力を発生する。
【００２９】
復調部２１７は、受光部２１６の受光出力を変調前の信号に復調する復調処理を行う。
【００３０】
誘導結合部２１８は、装置本体部１０のインタフェース部１１の交流磁界発生部１１１から発生される交流磁界に対して誘導結合（電磁結合）し該交流磁界に応じた起電力（交流電力）を発生するコイル４１を有する。
【００３１】
電源部２１９は、誘導結合部２１８のコイル４１が交流磁界発生部１１１からの交流磁界の作用を受けて発生する交流電力を整流、平滑して直流電力を生成し、表示／操作部２１の各部に動作電源として供給する。
【００３２】
また、装置本体部１０において、インタフェース部１１は、交流磁界発生部１１１、変調部１１２、発光部１１３、受光部１１４、復調部１１５を具備して構成される。
【００３３】
交流磁界発生部１１１は、コイル３１を有し、制御部１２の制御によって印加される交流電源に基づき該コイル３１から交流磁界を発生する。
【００３４】
変調部１１２は、制御部１２からの制御信号等、表示／操作部２１の制御部２１３に送る信号を発光部１１３を駆動するための信号に変調する変調処理を行う。
【００３５】
発光部１１３は、例えば、発光ダイオードで構成され、変調部１１２により変調された信号に基づき駆動され、該変調信号に応じた明滅パターンで光信号を出力する。
【００３６】
受光部１１４は、例えば、受光ダイオードで構成され、表示／操作部２１の発光部２１５から送出される光信号を受光し、該光信号の受信に応じた受光出力を発生する。
【００３７】
復調部１１５は、受光部１１４の受光出力を変調前の信号に復調する復調処理を行う。
【００３８】
次に、本実施例に係わるプリンタ１００Ａの動作について説明する。
【００３９】
図４は、実施例１に係わるプリンタ１００Ａの装置本体部１０の制御部１２と、開閉部２０に設けられる表示／操作部２１の制御部２１３との間の通信動作に係わる制御シーケンスを示す概念図である。
【００４０】
本実施例に係わるプリンタ１００Ａの上述した構成によれば、開閉部２０が装置本体部１０に対して閉じられた状態〔図１（ｂ）に示す状態〕において、装置本体部１０のインタフェース部１１と、開閉部２０に設けられた表示／操作部２１間では、図３に示す如く、交流磁界発生部１１１がそのコイル３１から発生する交流磁界が誘導結合部２１８と誘導結合する状態に対向配置されると共に、発光部１１３と受光部２１６、及び発光部２１５と受光部１１４とが、それぞれ、光信号を送受信可能に対向配置される。
【００４１】
これにより、上記開閉部２０が開放された状態では、図４に示す如く、インタフェース部１１の交流磁界発生部１１１で発生する交流磁界が表示／操作部２１における誘導結合部２１８には作用せず（電磁結合非結合状態となり）、表示／制御部２１は駆動停止状態となる。
【００４２】
これに対し、上記開閉部２０が装置本体部１０に対して閉じられた状態〔かつ、装置本体部１０の電源スイッチ（不図示）がオンの状態〕になると、装置本体部１０の交流磁界発生部１１１のコイル３１から交流磁界が発生し、該交流磁界が、表示／操作部２１の誘導結合部２１８のコイル４１に作用〔誘導結合（電磁結合）〕する。
【００４３】
その際、誘導結合部２１８のコイル４１には、上記交流磁界の誘導結合によって起電力が発生し、該起電力に基づく交流電流が電源部２１９にも流れる。
【００４４】
電源部２１９では、この交流電流をダイオード及びコンデンサを介して整流、平滑化し、表示／操作部２１の各部（表示部２１１、入力部２１２、制御部２１３、変調部２１４、発光部２１５、受光部２１６、復調部２１７）に動作電源として供給する。
【００４５】
以後、装置本体部１０の制御部１２と開閉部２０の表示／操作部２１の制御部２１３の間では、制御情報の送受信が光信号を用いた通信により行なわれる（ステップＳ１１０，Ｓ２１０，Ｓ２２０，Ｓ１２０）。
【００４６】
その際、制御部１２は制御部２１３と光通信を行うために、表示制御信号等の送信信号を変調部１１２で変調し、該変調に応じた発光を発光部１１３により行う（ステップＳ１１０）。また、受光部１１４で発光部２１５から受けた表示／操作部２１からの操作指令信号等の信号を復調部１１５で復調して該信号を受信する（ステップＳ１２０）。
【００４７】
また、制御部２１３は、制御部１２と光通信を行うために、操作指令信号等の送信信号を変調部２１４で変調し、該変調に応じた発光を発光部２１５により行う（ステップＳ２２０）。また、受光部２１６で発光部１１３から受けた制御部１２からの表示制御情報等の信号を復調部２１７で復調して該信号を受信する（ステップＳ２１０）。
【００４８】
以下、上記光通信による具体的制御動作の例について説明する。
【００４９】
開閉部２０が閉じられた状態（但し、電源オン）で、装置本体部１０の制御部１２は、読取部１４、画像処理部１５、画像形成部１６等の動作状態を監視し、何等の動作も行なわれていない場合には、待機状態に対応した画面を表示する制御信号を表示／操作部２１向けの信号として変調部１１２に送出する。
【００５０】
変調部１１２では制御部１２からの上記制御信号を変調し、発光部１１３が該変調された信号に応じて発光パターンで光信号を発生する。
【００５１】
表示／操作部２１では、受光部２１６が、発光部１１３の発光パターンに応じた光を受光して該受光に応じた電気信号を出力し、復調部２１７が該受光出力を変調前の制御信号に復調し、制御部２１３に入力する。
【００５２】
上記制御信号が入力されると、制御部２１３は、表示部２１１に対して所定の待機画面を表示する制御信号を送出し、表示部２１１は、該制御信号に基づき、パネルディスプレイ部にプリントやスキャンあるいはコピー等の開始ボタン等を含む待機画面を表示し、操作受付け可能状態で待機する。
【００５３】
上記待機状態において、ユーザにより、例えば、コピーの開始操作がなされると、制御部２１３は、該操作指令信号を装置本体部１０の制御部１２向けの信号として変調部２１４に入力する。
【００５４】
変調部２１４では制御部２１３からの上記制御信号を変調し、発光部２１５が該変調された信号に応じた発光パターンにより光信号を発生する。
【００５５】
装置本体１０側では、受光部１１４が、発光部２１５の発光パターンに応じた光を受光して該受光に応じた電気信号を出力し、復調部１１５が該受光出力を変調前の制御信号に復調し、制御部１２に入力する。
【００５６】
これにより、制御部１２は、入力される制御信号がコピー等の開始を指示する制御信号であることを解析し、読取部１４、画像処理部１５、画像形成部１６を駆動して原稿のコピー動作を実行する。
【００５７】
コピー動作が開始されると、制御部１２は、読取部１４、画像処理部１５、画像形成部１６等の動作状態の監視結果を基に、該動作状態を表示するための制御信号を、逐次、表示／操作部２１向けの信号として変調部１１２に送出する。
【００５８】
変調部１１２では、逐次入力する上記制御信号を変調し、発光部１１３が該変調された信号に応じて駆動されて光信号を発生する。
【００５９】
表示／操作部２１側では、受光部２１６が、発光部１１３が発生する光を受光して該受光に応じた電気信号を出力し、復調部２１７が該受光出力を変調前の制御信号に復調し、制御部２１３に入力する。
【００６０】
これにより、制御部２１３は、入力される制御信号がコピー開始後の動作状態を表示する制御信号であることを解析し、該制御信号に基づき表示部２１１を駆動してパネルディスプレイ上にこの時のコピーの動作状態を、逐次、表示させる。
【００６１】
上記制御により、画像形成部１６から、原稿の画像内容が印刷出力され、コピー動作が終了すると、表示／操作部２１のパネルディスプレイにはその旨の表示が行なわれ、上記待機状態に復帰する。
【００６２】
このように、実施例１に係わるプリンタ１００Ａでは、装置本体部１０から表示／操作部２１に対して無線により駆動電源を供給し、表示／操作部２１に動作電源としてのバッテリ（蓄電池）を搭載する必要性をなくし、必然的に該バッテリを交換する等の作業も不要なものとしている。
【００６３】
また、実施例１のプリンタ１００Ａでは、装置本体部１０と表示／操作部２１間の制御信号については光信号を用いて送受し、装置本体部１０と表示／操作部２１間のケーブル接続をなくし、接続ケーブルを用いていた従来装置のように該接続ケーブルからノイズがのることがないようにしている。
【実施例２】
【００６４】
図５は、本発明の実施例２に係わるプリンタ１００Ｂの開閉部２０ｂに設けられる表示／操作部２１ｂと、装置本体部１０ｂのインタフェース部１１ｂの詳細機能構成を示すブロック図である。
【００６５】
ここでも、開閉部２０ｂが、図１（ｂ）に示す如く、プリンタ１００Ｂの装置本体部１０ｂに対して閉じられている状態での各構成要素の対応関係を例示している。
【００６６】
図５において、実施例１に係わる表示／操作部２１と、装置本体部１０のインタフェース部１１の構成各部（図３参照）と同様のものには同一の符号を付している。
【００６７】
実施例２において、開閉部２０ｂに設けられる表示／操作部２１ｂは、表示部２１１、入力部２１２、制御部２１３、変調部２１４ｂ、高周波重畳分離部２２０、復調部２１７ｂ、誘導結合部２１８ｂ、電源部２１９を備えて構成される。
【００６８】
表示部２１１、入力部２１２、制御部２１３は、それぞれ、実施例１に係わる表示／操作部２１内の対応部分と同様のものである。
【００６９】
これに対し、変調部２１４ｂ、復調部２１７ｂ、誘導結合部２１８ｂ及び高周波重畳分離部２２０は、それぞれ、本実施例特有の構成要素である。
【００７０】
誘導結合部２１８ｂは、実施例１に係わる誘導結合部２１８（図３参照）の構成において、コイル４１の他に、高周波送受用のコイル４２を付加したものである。
【００７１】
高周波重畳分離部２２０は、変調部２１４ｂからの変調信号に対応した高周波信号を生成してコイル４２に流すと共に、該コイル４２に流れる高周波信号を取り出して復調部２１７ｂに送る処理を行う。
【００７２】
変調部２１４ｂは、制御部２１３からコピー開始信号等の制御信号を入力し、高周波重畳分離部２２０への入力に先立って該制御信号を変調する処理を行う。
【００７３】
復調部２１７ｂは、高周波重畳分離部２２０でコイル４２から取り出された高周波信号を変調前の信号に復調する処理を行う。
【００７４】
また、本実施例に係わるプリンタ１００Ｂの装置本体部１０ｂに設けられるインタフェース部１１ｂは、交流磁界発生部１１１ｂ、変調部１１２ｂ、復調部１１５ｂ、高周波重畳分離部１１６を具備して構成される。
【００７５】
交流磁界発生部１１１ｂは、実施例１に係わる交流磁界発生部１１１（図３参照）の構成において、コイル３１の他に、高周波送受用のコイル３２を付加したものである。
【００７６】
高周波重畳分離部１１６は、変調部１１２ｂからの変調信号に対応した高周波信号を生成してコイル３２に流すと共に、該コイル３２に流れる高周波信号を取り出して復調部１１５ｂに送る処理を行う。
【００７７】
変調部１１２ｂは、制御部１２から動作状態表示等に係わる制御信号を入力し、高周波重畳分離部１１６への入力に先立って該制御信号を変調する処理を行う。
【００７８】
復調部１１５ｂは、高周波重畳分離部１１６により取り出された高周波信号を変調前の制御信号等に復調する処理を行う。
【００７９】
上記高周波重畳分離部１１６と２２０の構成及び処理動作によれば、制御部１２と制御部２１３間で送受される信号は、コイル３２とコイル４２との間において、交流磁界発生部１１１ｂから発生される交流磁界に高周波信号として重畳して通信される。
【００８０】
次に、本実施例に係わるプリンタ１００Ｂの動作について説明する。
【００８１】
図６は、実施例２に係わるプリンタ１００Ｂの装置本体部１０ｂ内の制御部１２と、開閉部２０ｂに設けられる表示／操作部２１ｂの制御部２１３との間の通信動作に係わる制御シーケンスを示す概念図である。
【００８２】
本実施例に係わるプリンタ１００Ｂの上述した構成によれば、開閉部２０ｂが装置本体部１０ｂに対して閉じられた状態〔図１（ｂ）参照〕において、装置本体部１０ｂのインタフェース部１１ｂと、開閉部２０ｂに設けられた表示／操作部２１ｂ間では、図５に示す如く、交流磁界発生部１１１ｂがコイル４１から発生する交流磁界が誘導結合部２１８ｂのコイル４１、４２と誘導結合する状態に対向配置される。
【００８３】
これにより、上記開閉部２０ｂが開放された状態では、図６に示す如く、インタフェース部１１ｂの交流磁界発生部１１１ｂで発生する交流磁界が表示／操作部２１における誘導結合部２１８ｂには作用せず（電磁結合非結合状態となり）、表示／制御部２１ｂは駆動停止状態となる。
【００８４】
これに対し、上記開閉部２０ｂが装置本体部１０ｂに対して閉じられた状態〔かつ、装置本体部１０ｂの電源スイッチ（不図示）がオンの状態〕になると、装置本体部１０ｂの交流磁界発生部１１１ｂのコイル３１から交流磁界が発生し、該交流磁界が、表示／操作部２１ｂの誘導結合部２１８ｂのコイル４１，４２に作用〔誘導結合（電磁結合）〕する。
【００８５】
その際、誘導結合部２１８ｂのコイル４１には、上記交流磁界の誘導結合によって起電力が発生し、該起電力に基づく交流電流が電源部２１９にも流れる。
【００８６】
電源部２１９では、この交流電流をダイオード及びコンデンサを介して整流、平滑化し、表示／操作部２１ｂの各部（表示部２１１、入力部２１２、制御部２１３、変調部２１４ｂ、復調部２１７ｂ、高周波重畳分離部２２０）に動作電源として供給する。
【００８７】
以後、装置本体部１０ｂの制御部１２と開閉部２０ｂの表示／操作部２１ｂの制御部２１３の間では、制御情報の送受信が高周波信号を用いて行なわれる（ステップ１１５，Ｓ２１５，Ｓ２２５，Ｓ１２５）。
【００８８】
その際、制御部１２は制御部２１３と通信を行うために、表示制御信号等の送信信号を送信信号を変調部１１２ｂで変調し、該変調信号に応じた高周波信号を高周波重畳分離部１１６で発生し、交流磁界発生部１１１ｂのコイル３２に結合する（ステップＳ１１５）。また、交流磁界発生部１１１ｂのコイル３２から高周波重畳分離部１１６が取り出した表示／操作部２１からの操作指令信号等の信号に対応する高周波信号を復調部１１５ｂで復調して信号を受信する（ステップＳ１２５）。
【００８９】
また、制御部２１３は、制御部１２と通信を行うために、操作指令信号等の送信信号を変調部２１４ｂで変調し、該変調信号に対応した高周波信号を高周波重畳分離２２０で発生し、誘導結合部２１８ｂのコイル４２に結合する（ステップＳ２２５）。また、誘導結合部２１８ｂのコイル４２から高周波重畳分離部２２０が取り出した制御部１２からの表示制御情報等の信号に対応する高周波信号を復調部２１７ｂで復調して信号を受信する（ステップＳ２１５）。
【００９０】
以下、上記高周波信号を用いた具体的制御動作の例について説明する。
【００９１】
開閉部２０ｂが閉じられた状態（但し、電源オン）で、装置本体部１０ｂの制御部１２は、読取部１４、画像処理部１５、画像形成部１６等の動作状態を監視し、何等の動作も行なわれていない場合には、待機状態に対応した画面を表示する制御信号を表示／操作部２１向けの信号として変調部１１２ｂに送出する。
【００９２】
変調部１１２ｂでは制御部１２からの上記制御信号を変調し、高周波重畳分離部１１６が、該変調信号に対応する高周波信号を交流磁界発生部１１１ｂのコイル３２に導通させるように制御する。これにより、コイル３１から発生する交流磁界にはコイル３２からの高周波信号が重畳される。
【００９３】
一方、表示／操作部２１ｂでは、交流磁界発生部１１１ｂのコイル３２によって重畳された高周波信号が、誘導結合によって、誘導結合部２１８ｂのコイル４２ｂに流れ、高周波重畳分離部２２０が該高周波信号を取り出して復調部２１７ｂに入力する。
【００９４】
復調部２１７ｂでは、該入力信号を復調前の制御信号に復調し、制御部２１３に入力する。
【００９５】
上記制御信号が入力されると、制御部２１３は、表示部２１１に対して所定の待機画面を表示する制御信号を送出し、表示部２１１は、該制御信号に基づき、パネルディスプレイ部にプリントやスキャンあるいはコピー等の開始ボタン等を含む待機画面を表示し、操作受付け可能状態で待機する。
【００９６】
上記待機状態において、ユーザにより、例えば、コピーの開始操作がなされると、制御部２１３は、該操作信号を装置本体部１０の制御部１２向けの信号として変調部２１４ｂに入力する。
【００９７】
変調部２１４ｂでは制御部２１３からの上記制御信号を変調し、高周波重畳分離部２２０が、該変調信号に対応する高周波信号を生成し、誘導結合部２１８ｂのコイル４２に導通させるように制御する。これにより、交流磁界にはコイル４２からの高周波信号が重畳される。
【００９８】
一方、装置本体部１０ｂでは、誘導結合部２１８ｂのコイル４２によって重畳された高周波信号が、誘導結合によって、交流磁界発生部１１１ｂのコイル３２に流れ、高周波重畳分離部１１６が該高周波信号を取り出して復調部１１５ｂに入力する。
【００９９】
復調部１１５ｂでは、該入力信号を変調前の制御信号に復調し、制御部１２に入力する。
【０１００】
これにより、制御部１２は、入力される制御信号がコピー等の開始を指示する制御信号であることを解析し、読取部１４、画像処理部１５、画像形成部１６を駆動して原稿のコピー動作を実行させる。
【０１０１】
コピー動作が開始されると、制御部１２は、読取部１４、画像処理部１５、画像形成部１６等の動作状態の監視結果を基に、該動作状態を表示するための制御信号を、逐次、表示／操作部２１ｂ向けの信号として変調部１１２ｂに送出する。
【０１０２】
変調部１１２ｂでは制御部１２からの上記制御信号を変調し、高周波重畳分離部１１６が、該変調信号に対応する高周波信号を交流磁界発生部１１１ｂのコイル３２に導通させるように制御する。
【０１０３】
一方、表示／操作部２１ｂでは、交流磁界発生部１１１ｂのコイル３２によって重畳された高周波信号が、誘導結合によって、誘導結合部２１８ｂのコイル４２ｂに流れ、高周波重畳分離部２２０が該高周波信号を取り出して復調部２１７ｂに入力する。
【０１０４】
復調部２１７ｂでは、該入力信号を変調前の制御信号に復調し、制御部２１３に入力する。
【０１０５】
制御部２１３は、入力される制御信号がコピー開始後の動作状態を表示する制御信号であることを解析し、該制御信号に基づき表示部２１１を駆動してパネルディスプレイ上にこの時のコピーの動作状態を、逐次、表示させる。
【０１０６】
上記制御により、画像形成部１６から、原稿の画像内容が印刷出力され、コピー動作が終了すると、表示／操作部２１ｂのパネルディスプレイにはその旨の表示が行なわれ、上記待機状態に復帰する。
【０１０７】
このように、実施例２に係わるプリンタ１００Ｂは、実施例１と同様、装置本体部１０ｂから表示／操作部２１ｂに対して無線により駆動電源を供給し、表示／操作部２１ｂに動作電源としてのバッテリ（蓄電池）を実装する必要性をなくしている。
【０１０８】
更に、実施例２に係わるプリンタ１００Ｂでは、装置本体部１０ｂと表示／操作部２１ｂ間の信号を高周波信号により送受するようにしている。この場合も、装置本体部１０ｂから表示／操作部２１ｂ間の給電のためのケーブル接続をなくし、接続ケーブルを用いていた従来装置のように該接続ケーブルからノイズがのることを防止できる。
【０１０９】
また、本実施例では、装置本体部１０ｂと表示／操作部２１ｂ間で高周波信号を送受するにあたり、無線により電力を供給する誘導結合構造（交流磁界発生部１１１ｂ，誘導結合部２１８ｂ）を活用でき、発光素子、受光素子を用いた光通信手段を用いる場合に比べて構成を簡略化できる。
【０１１０】
この他、本発明は、上記し、且つ図面に示す実施例に限定することなく、その要旨を変更しない範囲内で適宜変形して実施できるものである。
【０１１１】
例えば、上記実施例１，２では、図１に示すように、装置本体部１０に対して正面前面で矢印ａ１方向に開閉可能な開閉部２０を有する構造について例示したが、これに限らず、例えば、図７示すように、装置本体部１０ｃに対して上下（矢印ａ２方向）に開閉する開閉部２０ｃに表示／操作部２１ｃを備えたプリンタ１００Ｃや、図８に示す如く、装置本体部１０ｄの前面に対して右または左から矢印ａ３方向に開閉可能な開閉部２０ｄに表示／操作部２１ｄを備えたプリンタ２００Ｄにも適用可能である。
【０１１２】
また、上記実施例では、プリンタへの適用例を挙げたが、本発明は、装置を制御する制御部を有する装置本体部と、装置本体部に対して開閉可能に装着される開閉部と、開閉部に設けられ、情報を表示する表示部を有する操作入力部とを備えるものであれば、複合機等も含めた画像形成装置全般に適用可能である。
【産業上の利用可能性】
【０１１３】
本発明は、装置本体部に対して開閉可能な開閉部に操作パネルが設けられ、開閉部を閉じた時に無線により電力を供給できるプリンタや複合機等の画像形成装置全般に適用できる。
【図面の簡単な説明】
【０１１４】
【図１】本発明に係わるプリンタの概観構造を示す概念図。
【図２】本発明に係わるプリンタの機能構成を示すブロック。
【図３】実施例１に係わるプリンタの特定部分の詳細構成を示すブロック図。
【図４】実施例１に係わるプリンタの通信動作制御シーケンスを示す概念図。
【図５】実施例２に係わるプリンタの特定部分の詳細構成を示すブロック図。
【図６】実施例２に係わるプリンタの通信動作制御シーケンスを示す概念図。
【図７】別の実施例に係わるプリンタの概観構造を示す概念図。
【図８】更に別の実施例に係わるプリンタの概観構造を示す概念図。
【符号の説明】
【０１１５】
１００，１００Ａ，１００Ｂ，１００Ｃ，１００Ｄ…プリンタ、１０，１０ｂ，１０ｃ，１０ｄ…装置本体部、１１，１１ｂ，１１ｃ，１１ｄ…インタフェース（Ｉ／Ｆ）部、１１１，１１１ｂ…交流磁界発生部、１１２，１１２ｂ…変調部、１１３…発光部、１１４…受光部、１１５，１１５ｂ…復調部、１１６…高周波重畳分離部、１２…制御部、１３…記憶部、１４…読取部、１５…画像処理部、１６…画像形成部、１７…通信インタフェース（Ｉ／Ｆ）部、２０，２０ｃ、２０ｄ…開閉部、２１，２１ｂ、２１ｃ、２１ｄ…表示／操作部、２１１…表示部、２１２…入力部、２１３…制御部、２１４，２１４ｂ…変調部、２１５…発光部、２１６…受光部、２１７，２１７ｂ…復調部、２１８，２１８ｂ…誘導結合部、２１９…電源部、２２０…高周波重畳分離部
【図１】
2009069189.tif 000003
【図２】
2009069189.tif 000004
【図３】
2009069189.tif 000005
【図４】
2009069189.tif 000006
【図５】
2009069189.tif 000007
【図６】
2009069189.tif 000008
【図７】
2009069189.tif 000009
【図８】
2009069189.tif 000010